(57)【特許請求の範囲】
【請求項１】
物体側より像側へ順に、正の屈折力の第１レンズ群、ズーミングに際して移動する負の屈折力の第２レンズ群、正の屈折力の第３レンズ群、ズーミングに際して移動する正の屈折力の第４レンズ群より構成され、
ズーミングに際して隣り合うレンズ群の間隔が変化し、
前記第１レンズ群は、最も物体側に配置された負レンズを含む５つ以上のレンズを有し、
前記第１レンズ群と前記第２レンズ群の広角端における主点間隔をｈ１２ｗ、広角端における全系の焦点距離をｆｗ、前記第１レンズ群の焦点距離をｆ１とするとき、
−５．０＜ｈ１２ｗ／ｆｗ＜−１．２
９．０＜ｆ１／ｆｗ＜１５．０
なる条件式を満足することを特徴とするズームレンズ。
【請求項２】
前記第１レンズ群は２つ以上の負レンズを有することを特徴とする請求項１に記載のズームレンズ。
【請求項３】
前記第１レンズ群の物体側から数えて第２番目の第２レンズの像側のレンズ面の曲率半径をＲ２２、第３番目の第３レンズの物体側のレンズ面の曲率半径をＲ３１とするとき、
−８．０＜（Ｒ３１＋Ｒ２２）／（Ｒ３１−Ｒ２２）＜−１．０
なる条件式を満足することを特徴とする請求項１又は２に記載のズームレンズ。
【請求項４】
前記第１レンズ群は、物体側から像側へ順に、負レンズ、正レンズ、負レンズ、正レンズからなる前群と、２つの正レンズからなる後群から成り、前記前群の焦点距離をｆｆ、前記後群の焦点距離をｆｒとするとき、
−５．０＜ｆｆ／ｆｒ＜−１．０
なる条件式を満足することを特徴とする請求項１乃至３のいずれか１項に記載のズームレンズ。
【請求項５】
前記前群は、物体側から像側へ順に、物体側の面が凸でメニスカス形状の負レンズ、像側の面が凸形状の正レンズ、物体側の面が凹形状の負レンズ、像側の面が凸形状の正レンズより構成され、前記後群は、物体側から像側へ順に、両レンズ面が凸形状の正レンズ、物体側の面が凸形状の正レンズより構成されていることを特徴とする請求項４に記載のズームレンズ。
【請求項６】
前記第２レンズ群の焦点距離をｆ２とするとき、
−４．０＜ｆ２／ｆｗ＜−１．５
なる条件式を満足することを特徴とする請求項１乃至５のいずれか１項に記載のズームレンズ。
【請求項７】
前記第２レンズ群の焦点距離をｆ２とするとき、
−８．０＜ｆ１／ｆ２＜−２．０
なる条件式を満足することを特徴とする請求項１乃至６のいずれか１項に記載のズームレンズ。
【請求項８】
請求項１乃至７のいずれか１項に記載のズームレンズによって形成された像を受光する撮像素子を有することを特徴とする撮像装置。
【請求項９】
前記ズームレンズで生ずる歪曲収差を電気的な方法によって補正する補正手段を有することを特徴とする請求項８に記載の撮像装置。
【発明の詳細な説明】
【技術分野】
【０００１】
本発明はズームレンズ及びそれを有する撮像装置に関し、特にデジタルスチルカメラ、ビデオカメラ、監視用カメラ、ＴＶカメラ、フィルム用カメラ等の撮像装置に用いる撮影レンズに好適なものである。
【背景技術】
【０００２】
固体撮像素子を用いたビデオカメラ、監視用カメラ、デジタルスチルカメラ等の撮像装置に用いる撮影光学系には、広画角・高ズーム比で高い光学性能を有したズームレンズであることが要求されている。これらの要求を満足するズームレンズとして、物体側より像側へ順に、正、負、正、正の屈折力の第１〜第４レンズ群より成る４群ズームレンズが知られている。このうち、第２レンズ群を移動させて変倍を行い、第４レンズ群にて変倍に伴う像面変動を補正する４群ズームレンズが知られている。
【０００３】
この第１レンズ群と第３レンズ群を固定とした４群ズームレンズにおいて、広画角化を図ると前玉有効径が大きくなり、ズームレンズ全体の小型化が困難となる。これに対して、広画角化を図ったときの前玉有効径の増大を軽減するため、第１レンズ群を５つ又は６つのレンズより構成したズームレンズが提案されている（特許文献１，２）。特許文献１では第１レンズ群を物体側から像側へ順に、負レンズ、正レンズ、負レンズ、正レンズ、正レンズの５つより構成して、広角端の撮影画角が約７８度、ズーム比５〜１０倍程度の実施例が開示されている。特許文献２では第１レンズ群を物体側から像側へ順に、負レンズ、正レンズ、正レンズ、負レンズ、正レンズ、正レンズの６つより構成して、広角端の撮影画角が約８０度、ズーム比約１０倍の実施例が開示されている。
【先行技術文献】
【特許文献】
【０００４】
【特許文献１】特開２００４‐２７２１８７号公報
【特許文献２】特開２００９‐０３７１０５号公報
【発明の概要】
【発明が解決しようとする課題】
【０００５】
近年ビデオカメラや監視用カメラ等の撮像装置に使用されるズームレンズには、全系が小型で、広画角であり、かつズーム全域において高い光学性能を有していることが要望されている。広画角化を図りつつ、全系の小型化を実現するためには、ズームレンズを構成する各レンズ群の屈折力を強めるのが良い。しかしながら、単に各レンズ群の屈折力を強めると、ズーミングに伴う収差変動が大きくなり、全ズーム範囲にわたり良好な光学性能を得ることが難しくなってくる。
【０００６】
前述した４群ズームレンズにおいて全系の小型化を維持しながら広画角化を図るには、第１レンズ群の屈折力やレンズ構成、そして第１レンズ群と第２レンズ群との光学配置等を適切に配置するのが重要になってくる。特に第１レンズ群のレンズ構成が不適切であると、広画角化を図りつつ全系の小型化を図るのが困難となり、またズーミングに伴う諸収差の変動が増大し高い光学性能を得るのが難しくなる。
【０００７】
本発明は、広画角で、全系が小型で、かつ全ズーム範囲にわたり高い光学性能を有するズームレンズ及びそれを有する撮像装置の提供を目的とする。
【課題を解決するための手段】
【０００８】
本発明のズームレンズは、物体側より像側へ順に、正の屈折力の第１レンズ群、ズーミングに際して移動する負の屈折力の第２レンズ群、正の屈折力の第３レンズ群、ズーミングに際して移動する正の屈折力の第４レンズ群より構成され、
ズーミングに際して隣り合うレンズ群の間隔が変化し、
前記第１レンズ群は、最も物体側に配置された負レンズを含む５つ以上のレンズを有し、
前記第１レンズ群と前記第２レンズ群の広角端における主点間隔をｈ１２ｗ、広角端における全系の焦点距離をｆｗ、前記第１レンズ群の焦点距離をｆ１とするとき、
−５．０＜ｈ１２ｗ／ｆｗ＜−１．２
９．０＜ｆ１／ｆｗ＜１５．０
なる条件式を満足することを特徴としている。
【発明の効果】
【０００９】
本発明によれば、広画角で、全系が小型で、かつ全ズーム範囲にわたり高い光学性能を有するズームレンズが得られる。
【図面の簡単な説明】
【００１０】
【図１】実施例１のズームレンズの広角端におけるレンズ断面図
【図２】（Ａ）、（Ｂ）、（Ｃ）  実施例１のズームレンズの広角端、中間のズーム位置、望遠端における諸収差図
【図３】実施例２のズームレンズの広角端におけるレンズ断面図
【図４】（Ａ）、（Ｂ）、（Ｃ）  実施例２のズームレンズの広角端、中間のズーム位置、望遠端における諸収差図
【図５】実施例３のズームレンズの広角端におけるレンズ断面図
【図６】（Ａ）、（Ｂ）、（Ｃ）  実施例３のズームレンズの広角端、中間のズーム位置、望遠端における諸収差図
【図７】実施例４のズームレンズの広角端におけるレンズ断面図
【図８】（Ａ）、（Ｂ）、（Ｃ）  実施例４のズームレンズの広角端、中間のズーム位置、望遠端における諸収差図
【図９】本発明のズームレンズをビデオカメラに適用したときの要部概略図
【発明を実施するための形態】
【００１１】
以下、本発明のズームレンズ及びそれを有する撮像装置の実施例について説明する。本発明のズームレンズは、物体側より像側へ順に、正の屈折力の第１レンズ群、ズーミングに際して移動する負の屈折力の第２レンズ群、正の屈折力の第３レンズ群、ズーミングに際して移動する正の屈折力の第４レンズ群より構成されている。フォーカスに際しては第４レンズ群が移動する。第１レンズ群の物体側又は第４レンズ群の像側の少なくとも一方にコンバーターレンズ等の屈折力のあるレンズ群が配置される場合もある。
【００１２】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図、図４（Ａ）、（Ｂ）、（Ｃ）はそれぞれ実施例２のズームレンズの広角端、中間のズーム位置、望遠端における収差図である。
【００１３】
図５は本発明の実施例３のズームレンズの広角端におけるレンズ断面図、図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図、図８（Ａ）、（Ｂ）、（Ｃ）はそれぞれ実施例４のズームレンズの広角端、中間のズーム位置、望遠端における収差図である。図９は本発明のズームレンズを備えるビデオカメラ（撮像装置）の要部概略図である。
【００１４】
各実施例のズームレンズはビデオカメラやデジタルカメラ等の撮像装置に用いられる撮影レンズ系である。レンズ断面図において、左方が被写体側（物体側）（前方）で、右方が像側（後方）である。各実施例のズームレンズをプロジェクター等の投射レンズとして用いても良く、このときは、左方がスクリーン、右方が被投射画像となる。レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。ＳＰは解放Ｆナンバー（Ｆｎｏ）の光束を決定する開口絞りであり、第３レンズ群Ｌ３の物体側に位置している。
【００１５】
ＧＢは光学フィルター、フェースプレート、赤外カットフィルター等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系として使用する際にはフィルム面に相当する。球面収差図においては、ｄ線及びｇ線について示している。非点収差図において、ΔＭ、ΔＳはメリディオナル像面、サジタル像面を表している。ＦｎｏはＦナンバー、ωは実トレース値における半画角である。以下の各実施例において広角端と望遠端は変倍用レンズ群（第２レンズ群Ｌ２）が機構上光軸上移動可能な範囲の両端に位置したときのズーム位置をいう。
【００１６】
各実施例ではズーミングに際して隣り合うレンズ群の間隔が変化する。具体的には、広角端から望遠端のズーム位置へズーミングに際して矢印の如く第２レンズ群Ｌ２を像側へ移動させて変倍を行っている。そして、変倍に伴う像面変動を第４レンズ群Ｌ４を物体側に凸状の軌跡の一部を有しつつ移動させて補正している。このように第４レンズ群Ｌ４を物体側へ凸状の軌跡とすることで第３レンズ群Ｌ３と第４レンズ群Ｌ４間の空間の有効利用を図り、レンズ全長の短縮化を効果的に達成している。
【００１７】
また、第４レンズ群Ｌ４を光軸上移動させてフォーカシングを行うリアフォーカス式を採用している。第４レンズ群Ｌ４の実線の曲線４ａと点線の曲線４ｂは各々無限遠物体と近距離物体にフォーカスしているときの広角端から望遠端のズーム位置へのズーミングの際の像面変動を補正するための移動軌跡である。例えば望遠端のズーム位置において無限遠物体から近距離物体へフォーカスを行う場合には、矢印４Ｃに示すように第４レンズ群Ｌ４を前方に繰り出すことで行っている。
【００１８】
尚、各実施例において第１レンズ群Ｌ１と第３レンズ群Ｌ３と開口絞りＳＰはズーミング及びフォーカスのためには不動である。但し収差補正上、必要に応じてこれらを移動させても良い。
【００１９】
各実施例において、第１レンズ群Ｌ１は最も物体側に配置された負レンズを含む５つ以上のレンズを有している。第１レンズ群Ｌ１と第２レンズ群Ｌ２の広角端における主点間隔をｈ１２ｗ、広角端における全系の焦点距離をｆｗ、第１レンズ群Ｌ１の焦点距離をｆ１とする。このとき、
−５．０＜ｈ１２ｗ／ｆｗ＜−１．２    ・・・（１）
９．０＜ｆ１／ｆｗ＜１５．０          ・・・（２）
なる条件式を満足している。
【００２０】
各実施例のズームレンズは広画角でありながら良好な光学性能を得るために、物体側から像側へ順に、正の屈折力の第１レンズ群Ｌ１と、負の屈折力の第２レンズ群Ｌ２を配置している。撮影範囲の広画角化のためには第１レンズ群を負の屈折力とするのが有利であるが、望遠端のズーム位置においてＦナンバーが暗くなるという傾向がある。このため、第１レンズ群を正の屈折力とした。そして変倍のために第２レンズ群を移動させると共に、変倍により変動する像面を補正のために第４レンズ群を移動させるレンズ構成としている。
【００２１】
このようにズーミングに際して２つのレンズ群を移動させるレンズ構成とすることにより、レンズ群の駆動のためのモータ等の駆動手段の数を必要最小限とし、レンズ鏡筒全体の小型化を図っている。そして第１レンズ群Ｌ１の最も物体側に負レンズを配置することにより、広画角化と全系の小型化に有利なレンズ構成としている。
【００２２】
これにより、軸外光束を像面から逆に光線追跡した時に、最も物体側の負レンズで大きく発散させることで負レンズより像側のレンズを小型化している。また、第１レンズ群Ｌ１を５つ以上のレンズを有するレンズ構成とすることで、第１レンズ群Ｌ１の屈折力を強めたときの収差補正を容易に行っている。そして条件式（１）及び条件式（２）を満足することにより、広画角化かつ全系の小型化を図りつつ、ズーム全域にわたって良好な光学性能を得ている。
【００２３】
条件式（１）は第１レンズ群Ｌ１と第２レンズ群Ｌ２の広角端における主点間隔を規定したものである。条件式（１）を満たすことで広画角でありながら、前玉有効径を小型化している。条件式（１）の下限値を超えて主点間隔が短くなりすぎると、前玉有効径の小型化には有利であるが、ズーミングに伴う像面湾曲の変動を抑えることが困難となる。一方、条件式（１）の上限値を越えて主点間隔が長くなりすぎると、前玉有効径を小型化することが困難となる。
【００２４】
条件式（２）は第１レンズ群Ｌ１の焦点距離を規定したものである。条件式（２）を満たすことで広画角でありながら良好な光学性能を得ることが容易になる。条件式（２）の下限値を超えて第１レンズ群Ｌ１の屈折力が強くなりすぎると、望遠端において球面収差、軸上色収差、像面湾曲等の補正が困難となる。一方、条件式（２）の上限値を超えて第１レンズ群Ｌ１の屈折力が弱くなりすぎると、球面収差や像面湾曲の補正は容易になるが、レンズ全長が長くなり、その結果レンズ系全体が大型化してしまうため好ましくない。
【００２５】
尚、好ましくは条件式（１）、（２）の数値範囲を次の如く設定するのが良い。
【００２６】
−４．５＜ｈ１２ｗ／ｆｗ＜−１．２５      ・・・（１ａ）
８．５＜ｆ１／ｆｗ＜１４．０              ・・・（２ａ）
また、さらに好ましくは条件式（１ａ）、（２ａ）の数値範囲を次の如く設定すると、先に述べた各条件式が意味する効果が最大限に得られる。
【００２７】
−４．０＜ｈ１２ｗ／ｆｗ＜−１．３        ・・・（１ｂ）
９．０＜ｆ１／ｆｗ＜１２．０              ・・・（２ｂ）
各実施例においてより好ましくは、以下の条件のうち１以上を満足するのが良い。第１レンズ群Ｌ１の物体側から数えて第２番目の第２レンズの像側のレンズ面の曲率半径をＲ２２、第３番目の第３レンズの物体側のレンズ面の曲率半径をＲ３１とする。第１レンズ群Ｌ１は物体側から像側へ順に、負レンズ、正レンズ、負レンズ、正レンズからなる前群Ｌ１Ｆと、２つの正レンズからなる後群Ｌ１Ｒから成る。そして、前群Ｌ１Ｆの焦点距離をｆｆ、後群Ｌ１Ｒの焦点距離をｆｒとする。
【００２８】
第２レンズ群Ｌ２の焦点距離をｆ２とする。このとき、
−８．０＜（Ｒ３１＋Ｒ２２）／（Ｒ３１−Ｒ２２）＜−１．０    ・・・（３）
−５．０＜ｆｆ／ｆｒ＜−１．０                                ・・・（４）
−４．０＜ｆ２／ｆｗ＜−１．５                                ・・・（５）
−８．０＜ｆ１／ｆ２＜−２．０                                ・・・（６）
なる条件式のうち１以上を満足するのが良い。
【００２９】
次に各条件式の技術的意味について説明する。条件式（３）は第１レンズ群Ｌ１の物体側から像側へ数えたときの第２番目の第２レンズと第３番目の第３レンズで形成される、負の屈折力の空気レンズの形状を規定するものである。条件式（３）を満たすことによって、前玉有効径の小型化と良好な光学性能を得ている。条件式（３）の下限値を超えてレンズ面の曲率がきつくなりすぎると広角端において像面湾曲、非点収差の補正が困難となる。一方、条件式（３）の上限値を超えてレンズ面の曲率がゆるくなりすぎると望遠端において球面収差の補正が困難となる。
【００３０】
条件式（４）は第１レンズ群Ｌ１を構成する前群Ｌ１Ｆと後群Ｌ１Ｒの焦点距離の比を規定したものである。条件式（４）を満たすことで広画角でありながら、前玉有効径の小型化を容易にしている。条件式（４）の下限値を超えて前群Ｌ１Ｆの屈折力が弱くなりすぎると、前玉有効径が大きくなってしまうため、好ましくない。一方、条件式（４）の上限値を超えて前群Ｌ１Ｆの屈折力が強くなりすぎると、特に広角端において像面湾曲、非点収差の補正が困難となる。
【００３１】
条件式（５）は第２レンズ群Ｌ２の焦点距離を規定するものである。条件式（５）を満たすことで、変倍のための第２レンズ群のズームストローク（移動量）を短くし、レンズ全長を短くしている。それとともに前玉有効径も小さくしている。条件式（５）の下限値を超えて第２レンズ群Ｌ２の焦点距離が長くなりすぎると、変倍のための第２レンズ群Ｌ２のズームストロークが増大し、レンズ全長が長くなってくるので良くない。一方、条件式（５）の上限値を越えて第２レンズ群Ｌ２の焦点距離が短くなりすぎるとズーミングに伴う像面湾曲の変動が大きくなるため好ましくない。
【００３２】
条件式（６）は第１レンズ群と第２レンズ群の焦点距離の比を規定するものである。条件式（６）を満たすことで、広画角で全系が小型でありながら、良好な光学性能を得るのを容易にしている。条件式（６）の下限値を超えて第２レンズ群Ｌ２の焦点距離が短くなりすぎるとズーミングに伴う像面湾曲の変動が大きくなってくるので良くない。一方、条件式（６）の上限値を超えて第１レンズ群Ｌ１の焦点距離が小さくなりすぎると望遠端において球面収差、軸上色収差、像面湾曲等の補正が困難となるため好ましくない。
【００３３】
好ましくは条件式（３）乃至（６）の数値範囲を次の如く設定するのが良い。
【００３４】
−６．０＜（Ｒ３１＋Ｒ２２）／（Ｒ３１−Ｒ２２）＜−１．５  ・・・（３ａ）
−４．５＜ｆｆ／ｆｒ＜−１．５          ・・・（４ａ）
−３．６＜ｆ２／ｆｗ＜−１．８          ・・・（５ａ）
−７．０＜ｆ１／ｆ２＜−２．５          ・・・（６ａ）
また更に好ましくは条件式（３ａ）乃至条件式（６ａ）の数値範囲を次の如く設定するのが良い。
【００３５】
−５．０＜（Ｒ３１＋Ｒ２２）／（Ｒ３１−Ｒ２２）＜−２．０  ・・・（３ｂ）
−４．０＜ｆｆ／ｆｒ＜−２．０          ・・・（４ｂ）
−３．３＜ｆ２／ｆｗ＜−２．０          ・・・（５ｂ）
−６．０＜ｆ１／ｆ２＜−３．０          ・・・（６ｂ）
各実施例において第１レンズ群Ｌ１は２つ以上の負レンズを含むことが望ましい。第１レンズ群Ｌ１の物体側に負レンズを配置すると、第１レンズ群Ｌ１の像側主点を第２レンズ群Ｌ２に近づけることができる。このため、広画角化に有利なレンズ構成となる。そのため、物体側に２つの負レンズを配置することが望ましい。第１レンズ群Ｌ１の前群Ｌ１Ｆは物体側から像側へ順に、物体側の面が凸でメニスカス形状の負レンズ、像側の面が凸形状の正レンズ、物体側の面が凹形状の負レンズ、像側の面が凸形状の正レンズより構成されている。
【００３６】
また後群Ｌ１Ｒは物体側から像側へ順に、両レンズ面が凸形状の正レンズ、物体側の面が凸形状の正レンズより構成されている。レンズ外径が比較的小さく軽量である第４レンズ群Ｌ４をフォーカスレンズ群とすることで、駆動力が小さくて済むため、迅速なフォーカシングを容易にしている。
【００３７】
本発明の撮像装置は、ズームレンズによって形成された像を受光する撮像素子を有している。撮像素子としてはＣＣＤ（Charge Coupled Device）やＣＭＯＳ（Complementary Metal Oxide Semiconductor）などが使用できる。また撮像装置は、ズームレンズで生ずる歪曲収差を電気的な方法によって補正する補正手段を有する。これは、銀塩フィルムとは異なり、デジタルカメラなどでは画像をデジタルデータとして取得できると言う特性を利用し、レンズから得られた画像に対して画像変換処理を施し、諸収差を極力低減させた画像を得るものである。
【００３８】
例えば、歪曲収差や色収差の電気的な補正を行うことにより、従来よりもさらに諸収差が補正された画像を得ることができる。また、非球面や異常分散ガラスを極力使用せずに済むという利点もある。
【００３９】
次に各実施例における第２レンズ群Ｌ２乃至第４レンズ群Ｌ４のレンズ構成について説明する。第２レンズ群Ｌ２は屈折力の絶対値が物体側に比べて像側に強く、像側のレンズ面が凹形状の負レンズ、両凹形状の負レンズ、物体側のレンズ面が凸形状の正レンズで構成している。各実施例のズームレンズでは広角端において広い画角を得ながら第１レンズ群Ｌ１の有効径を小型にするために第２レンズ群Ｌ２の負の屈折力を強めている。このとき第２レンズ群Ｌ２で発生する諸収差、特に広角側において歪曲収差、像面湾曲が多く発生してくる。
【００４０】
各実施例では第２レンズ群Ｌ２の負の屈折力を２つの負レンズで分担し、歪曲収差を許容しつつ像面湾曲の発生を低減している。このようなレンズ構成により広画角化を図りながら前玉有効径の小型化と高い光学性能を得ている。第３レンズ群Ｌ３は物体側のレンズ面が凸形状の正レンズ、像側のレンズ面が凹形状の負レンズより構成している。各数値実施例のズームレンズではレンズ全長を短縮しつつ、高い
光学性能を得るために第３レンズ群の構成を適切に設定している。すなわち、第３レンズ群Ｌ３を正レンズと負レンズの２枚で構成することによって色消しを行い、正レンズを非球面形状とすることで球面収差の補正を行っている。
【００４１】
第４レンズ群Ｌ４は正レンズ、正レンズと負レンズとを接合した接合レンズより構成している。各実施例では少ないレンズ枚数で第４レンズ群Ｌ４を構成することで薄型化、軽量化を図っている。またズーミング及びフォーカスに伴う色収差の変動を低減している。
【００４２】
以上、各実施例によれば、広角端の撮影画角が８５度以上でありながら、全系が小型で全ズーム範囲にわたり高い光学性能のズームレンズが得られる。
【００４３】
次に本発明のズームレンズを撮影光学系として用いたデジタルビデオカメラの実施例を図９を用いて説明する。図９において、１０はカメラ本体、１１は実施例１〜４で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。１３は液晶ディスプレイパネル等によって構成され、固体撮像素子１２上に形成された被写体像を観察するためのファインダである。
【００４４】
以上、本発明の好ましい実施形態について説明したが、本発明はこれらの実施形態に限定されず、その要旨の範囲内で種々の変形及び変更が可能である。
【００４５】
次に本発明の実施例１乃至４に各々対応する数値実施例１乃至４を示す。各数値実施例においてｉは物体側からの面の順番を示す。ｒｉは物体側から第ｉ番目の面の曲率半径、ｄｉは物体側から第ｉ番目の面と第ｉ＋１番目の面との間の面間隔、ｎｉは第ｉ番目のレンズの材料のｄ線における屈折率、νｉは第ｉ番目のレンズのｄ線におけるアッベ数を示すものとする。また、ｋを円錐定数、Ａ４，Ａ６，Ａ８，Ａ１０を４次、６次、８次、１０次の非球面係数とし、光軸からの高さｈの位置での光軸方向の変位を面頂点を基準にしてｘとするとき、非球面形状は、
ｘ＝（ｈ2／Ｒ）／［１＋［１−（１＋Ｋ）（ｈ／Ｒ）2］1/2］＋Ａ４ｈ4＋Ａ６ｈ6＋Ａ８ｈ8＋Ａ１０ｈ10
で表示される。但し、Ｒは曲率半径であり、「ｅ−Ｘ」は「×１０-X」を意味している。尚、非球面は各表中の面番号の右側に＊印を付している。
【００４６】
画角は半画角の値（度）で示している。バックフォーカス（ＢＦ）は、ガラスブロックの最終面から近軸像面までの距離として示している。レンズ全長は、レンズ最前面からガラスブロックの最終面までの距離にバックフォーカス（ＢＦ）を加えた値と定義する。長さの単位はｍｍである。各実施例における上述した条件式との対応を表１に示す。
【００４７】
［数値実施例１］
単位 mm
面データ
面番号       r        d      nd         νd
1        107.068    2.20   2.00069    25.5           
2         35.070    8.46                             
3      -1192.690    4.70   1.48749    70.2           
4        -80.519    3.97                             
5        -35.196    2.00   1.69895    30.1           
6      -4022.775    5.26   1.80400    46.6           
7        -49.538    0.20                             
8         82.474    5.12   1.60311    60.6           
9        -81.176    0.20                             
10         32.774    4.14   1.69680    55.5           
11        155.749  (可変)                             
12         35.780    0.70   1.83481    42.7           
13          7.479    4.52                             
14        -30.808    0.70   1.80400    46.6           
15         21.273    0.66                             
16         15.903    1.97   1.95906    17.5           
17         76.029  (可変)                             
18(絞り)    ∞       0.70                             
19*         9.400    3.31   1.69350    53.2           
20*      1048.075    2.17                             
21         21.485    0.70   1.80610    33.3           
22          8.085  (可変)                             
23         12.681    2.13   1.69680    55.5           
24        -34.677    0.30                             
25         30.396    3.35   1.60311    60.6           
26         -9.995    0.70   1.92286    18.9           
27       -464.076  (可変)                             
28          ∞       4.20   1.51633    64.1           
29          ∞ 
像面
非球面データ
第19面
K =-6.45262e-001  
A 3= 6.34587e-005  A 5= 7.85935e-006  A 7= 1.74595e-007  A 9=-2.57266e-010  
第20面
K = 0.00000e+000  
A 3= 1.10048e-004  A 5= 2.44525e-005  A 7=-1.79303e-007  A 9= 1.49523e-009  
各種データ
ズーム比      9.99 
広角端    中間    望遠端
焦点距離       3.40    16.51    33.99  
Fナンバー      1.65     2.68     3.00  
画角          41.41    10.30     5.04  
像高           3.00     3.00     3.00  
レンズ全長   104.92   104.92   104.92  
BF             0.50     0.50     0.50  
d11            0.80    22.09    28.81     
d17           30.52     9.24     2.51     
d22            6.07     3.05     5.13     
d27            4.68     7.70     5.62     
ズームレンズ群データ
群  始面    焦点距離  
1    1      32.19  
2   12      -9.55  
3   18      29.67  
4   23      14.26  
5   28       ∞    
【００４８】
［数値実施例２］
単位 mm
面データ
面番号       r        d      nd         νd
1         77.600    1.80   1.84666    23.9           
2         35.908    9.12                             
3       -120.693    3.08   1.48749    70.2           
4        -60.255    2.51                             
5        -38.556    1.70   1.80610    33.3           
6       -149.767    4.93   1.77250    49.6           
7        -47.670    0.20                             
8         56.584    6.41   1.60311    60.6           
9       -111.309    0.15                             
10         31.613    4.16   1.60311    60.6           
11         99.108  (可変)                             
12         51.558    0.70   1.83481    42.7           
13          7.588    4.56                             
14        -25.580    0.60   1.80400    46.6           
15         20.458    0.58                             
16         16.326    2.73   1.92286    18.9           
17        262.277  (可変)                             
18(絞り)    ∞       0.80                             
19*         9.103    3.80   1.58313    59.4           
20*      -200.450    2.04                             
21         18.423    0.70   1.83400    37.2           
22          8.216  (可変)                             
23         13.608    1.66   1.60311    60.6           
24        -28.507    0.17                             
25         21.864    1.97   1.60311    60.6           
26        -13.045    0.60   1.84666    23.9           
27         77.145  (可変)                             
28          ∞       4.20   1.51633    64.1           
29          ∞ 
像面
非球面データ
第19面
K =-8.31003e-001  
A 3= 6.71170e-005  A 5= 1.09709e-005  A 7=-3.20256e-008  A 9= 5.31716e-010  
第20面
K = 0.00000e+000  
A 3= 8.19723e-005  A 5= 1.95052e-005  A 7=-3.12293e-007  A 9= 2.53983e-009  
各種データ
ズーム比     11.53 
広角端    中間    望遠端
焦点距離       3.65    18.93    42.02      
Fナンバー      1.65     2.68     3.00  
画角          39.45     9.00     4.08     
像高           3.00     3.00     3.00     
レンズ全長   107.92   107.92   107.92     
BF             0.50     0.50     0.50     
d11            0.70    23.34    30.49    
d17           32.31     9.67     2.52     
d22            7.81     3.64     5.24     
d27            7.43    11.60    10.00    
ズームレンズ群データ
群  始面    焦点距離  
1    1      37.73  
2   12      -8.92  
3   18      32.94  
4   23      15.12  
5   28       ∞    
【００４９】
［数値実施例３］
単位 mm
面データ
面番号       r        d      nd         νd
1         76.332    1.80   1.84666    23.9           
2         36.157    8.51                             
3       -121.701    3.39   1.48749    70.2           
4        -61.069    2.39                             
5        -38.575    1.70   1.80610    33.3           
6       -417.343    5.90   1.77250    49.6           
7        -47.000    0.20                             
8         59.328    6.28   1.60311    60.6           
9       -100.922    0.15                             
10         30.748    4.08   1.60311    60.6           
11         93.476  (可変)                             
12         65.859    0.70   1.83481    42.7           
13          7.655    4.50                             
14        -25.619    0.60   1.80400    46.6           
15         20.380    0.42                             
16         15.991    2.28   1.92286    18.9           
17        266.780  (可変)                             
18(絞り)    ∞       0.80                             
19*         9.028    3.72   1.58313    59.4           
20*      -303.038    1.83                             
21         17.693    0.70   1.83400    37.2           
22          8.225  (可変)                             
23         12.989    3.19   1.60311    60.6           
24        -28.300    0.15                             
25         22.938    2.81   1.60311    60.6           
26        -10.452    0.60   1.84666    23.9           
27         75.069  (可変)                             
28          ∞       4.20   1.51633    64.1           
29          ∞
像面
非球面データ
第19面
K =-8.09567e-001  
A 3= 7.14042e-005  A 5= 1.01603e-005  A 7=-4.78829e-008  A 9=-2.63154e-011  
第20面
K = 0.00000e+000  
A 3= 9.50060e-005  A 5= 1.68164e-005  A 7=-3.07357e-007  A 9= 1.98316e-009  
各種データ
ズーム比     14.55 
広角端    中間    望遠端
焦点距離       3.64    21.83    53.00      
Fナンバー      1.65     2.68     3.00       
画角          39.47     7.83     3.24      
像高           3.00     3.00     3.00       
レンズ全長   108.40   108.40   108.40     
BF             0.40     0.40     0.40       
d11            0.70    23.81    31.11    
d17           32.50     9.39     2.10     
d22            7.57     3.45     8.22     
d27            6.33    10.45     5.68     
ズームレンズ群データ
群  始面    焦点距離  
1    1      36.11  
2   12      -8.72  
3   18      32.61  
4   23      15.62  
5   28       ∞    
【００５０】
［数値実施例４］
単位 mm
面データ
面番号       r        d      nd         νd
1         79.163    1.80   1.84666    23.9           
2         36.085    8.93                             
3       -130.078    3.05   1.48749    70.2           
4        -59.523    2.36                             
5        -39.084    1.70   1.80610    33.3           
6       -165.779    1.00                             
7       -133.101    4.29   1.77250    49.6           
8        -46.711    0.20                             
9         55.726    6.14   1.60311    60.6           
10       -119.611    0.15                             
11         31.791    4.14   1.60311    60.6           
12        103.781  (可変)                             
13         51.010    0.70   1.83481    42.7           
14          7.589    4.55                             
15        -26.077    0.60   1.80400    46.6           
16         21.153    0.59                             
17         16.354    2.70   1.92286    18.9           
18        207.300  (可変)                             
19(絞り)    ∞       0.80                             
20*         9.088    3.81   1.58313    59.4           
21*      -148.405    2.04                             
22         18.997    0.70   1.83400    37.2           
23          8.238  (可変)                             
24         13.621    1.64   1.60311    60.6           
25        -27.967    0.18                             
26         21.806    2.07   1.60311    60.6           
27        -12.812    0.60   1.84666    23.9           
28         71.718  (可変)                             
29          ∞       4.20   1.51633    64.1           
30          ∞
像面 
非球面データ
第20面
K =-8.37642e-001  
A 3= 6.94049e-005  A 5= 1.07499e-005  A 7=-1.69733e-008  A 9= 9.18329e-010  
第21面
K = 0.00000e+000  
A 3= 8.77406e-005  A 5= 1.98132e-005  A 7=-2.83062e-007  A 9= 2.65667e-009  
各種データ
ズーム比     11.36 
広角端    中間    望遠端
焦点距離       3.65    18.78    41.40     
Fナンバー      1.65     2.68     3.00     
画角          39.46     9.08     4.14     
像高           3.00     3.00     3.00     
レンズ全長   107.65   107.65   107.65     
BF             0.47     0.47     0.47     
d12            0.70    23.45    30.63    
d18           32.43     9.69     2.50     
d23            7.85     3.66     5.15     
d28            7.28    11.47     9.98    
ズームレンズ群データ
群  始面    焦点距離  
1    1      37.67  
2   13      -9.01  
3   19      32.58  
4   24      15.20  
5   29       ∞    
【００５１】
【表１】
0005623305.tif 000002
【符号の説明】
【００５２】
Ｌ１：第１レンズ群      Ｌ２：第２レンズ群      Ｌ３：第３レンズ群
Ｌ４：第４レンズ群      ＳＰ：絞り又は光量調整装置      ＧＢ：ガラスブロック
ＩＰ：像面      ｄ：ｄ線      ｇ：ｇ線      Ｆｎｏ：Ｆナンバー
ω：半画角      ΔＳ：サジタル像面      ΔＭ：メリジオナル像面
【図１】
0005623305.tif 000003
【図２】
0005623305.tif 000004
【図３】
0005623305.tif 000005
【図４】
0005623305.tif 000006
【図５】
0005623305.tif 000007
【図６】
0005623305.tif 000008
【図７】
0005623305.tif 000009
【図８】
0005623305.tif 000010
【図９】
0005623305.tif 000011